【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
複数の映像表示装置に複数の伝送チャネルを用いて映像を配信する映像配信装置において、
１つ以上の映像を受信する受信手段と、
前記複数の映像表示装置が配列されることにより構成される複数の画面のそれぞれに前記１つ以上の映像をどのように分割して表示するかを決定する分割決定手段と、
前記複数の伝送チャネルのそれぞれで前記分割決定手段により決定された複数の分割領域の映像が配信されるように、各分割領域の映像の配信に用いる伝送チャネルを決定する伝送チャネル決定手段と、
前記複数の伝送チャネルのそれぞれで配信される前記複数の分割領域の映像の帯域が前記伝送チャネルの帯域以下になるように、前記各分割領域の映像を符号化する符号化手段と、
前記符号化手段により符号化された前記各分割領域の映像のそれぞれを前記伝送チャネル決定手段により決定された伝送チャネルを用いて前記複数の映像表示装置に配信する配信手段とを有することを特徴とする映像配信装置。
【請求項２】
前記複数の映像表示装置は、複数のグループに分けられており、
前記グループを代表する映像表示装置が、前記複数のグループのそれぞれについて存在しており、
前記配信手段は、前記グループを代表する映像表示装置に、そのグループに属する映像表示装置で表示すべき映像を配信することを特徴とする請求項１に記載の映像配信装置。
【請求項３】
複数の映像表示装置に複数の伝送チャネルを用いて映像を配信する映像配信方法において、
受信手段が、１つ以上の映像を受信する受信ステップと、
分割決定手段が、前記複数の映像表示装置が配列されることにより構成される複数の画面のそれぞれに前記１つ以上の映像をどのように分割して表示するかを決定する分割決定ステップと、
伝送チャネル決定手段が、前記複数の伝送チャネルのそれぞれで前記分割決定ステップにより決定された複数の分割領域の映像が配信されるように、各分割領域の映像の配信に用いる伝送チャネルを決定する伝送チャネル決定ステップと、
符号化手段が、前記複数の伝送チャネルのそれぞれで配信される前記複数の分割領域の映像の帯域が前記伝送チャネルの帯域以下になるように、前記各分割領域の映像を符号化する符号化ステップと、
配信手段が、前記符号化ステップにより符号化された前記各分割領域の映像のそれぞれを前記伝送チャネル決定ステップにより決定された伝送チャネルを用いて前記複数の映像表示装置に配信する配信ステップとを有することを特徴とする映像配信方法。
【請求項４】
複数のグループに分けられた複数の映像表示装置に映像配信装置から複数の伝送チャネルを用いて映像を配信し、配列された複数の映像表示装置に前記映像を表示する映像表示方法であって、
前記映像配信装置が、
１つ以上の映像を受信する受信ステップと、
前記複数の映像表示装置が配列されることにより構成される複数の画面のそれぞれに前記１つ以上の映像をどのように分割して表示するかを決定する分割決定ステップと、
前記複数のグループのそれぞれを代表する映像表示装置のそれぞれに、前記複数の伝送チャネルのそれぞれで前記分割決定ステップにより決定された複数の分割領域の映像が配信されるように、各分割領域の映像の配信に用いる伝送チャネルを決定する伝送チャネル決定ステップと、
前記複数の伝送チャネルのそれぞれで配信される前記複数の分割領域の映像の帯域が前記伝送チャネルの帯域以下になるように、前記各分割領域の映像を符号化する符号化ステップと、
前記伝送チャネル決定ステップにより決定された伝送チャネルを用いて前記複数のグループのそれぞれを代表する映像表示装置に、その映像表示装置が代表するグループに属する映像表示装置で表示すべき映像を前記符号化ステップにより符号化して配信する配信ステップとを行い、
前記複数のグループのそれぞれを代表する映像表示装置が、
前記配信ステップにより配信された映像が伝送されると、前記映像を隣接する映像表示装置に出力する出力ステップと、
前記複数の映像表示装置がどのように配列されているかに基づいて、配信された映像から表示すべき映像を分割する分割ステップとを行うことを特徴とする映像表示方法。
【請求項５】
複数の映像表示装置に複数の伝送チャネルを用いて映像を配信する手順をコンピュータに実行させるためのコンピュータプログラムにおいて、
前記複数の映像表示装置が配列されることにより構成される複数の画面のそれぞれに、受信手段により受信された１つ以上の映像をどのように分割して表示するかを決定する分割決定手順と、
前記複数の伝送チャネルのそれぞれで前記分割決定手順により決定された複数の分割領域の映像が配信されるように、各分割領域の映像の配信に用いる伝送チャネルを決定する伝送チャネル決定手順と、
前記複数の伝送チャネルのそれぞれで配信される前記複数の分割領域の映像の帯域が前記伝送チャネルの合計帯域以下になるように、前記各分割領域の映像を符号化する符号化手順と、
前記符号化ステップにより符号化された前記各分割領域の映像のそれぞれを前記伝送チャネル決定ステップにより決定された伝送チャネルを用いて前記複数の映像表示装置に配信することを配信手段に指示する配信手順とをコンピュータに実行させることを特徴とするコンピュータプログラム。
【手続補正２】
【補正対象書類名】明細書
【補正対象項目名】発明の名称
【補正方法】変更
【補正の内容】
【発明の名称】映像配信装置、映像配信方法、映像表示方法、及びコンピュータプログラム
【手続補正３】
【補正対象書類名】明細書
【補正対象項目名】０００１
【補正方法】変更
【補正の内容】
【０００１】
本発明は、映像配信装置、映像配信方法、映像表示方法、及びコンピュータプログラムに関し、特に、配列された複数の映像表示装置を用いて大画面を構成して映像を表示するために用いて好適なものである。
【手続補正４】
【補正対象書類名】明細書
【補正対象項目名】００１０
【補正方法】変更
【補正の内容】
【００１０】
本発明の映像配信装置は、複数の映像表示装置に複数の伝送チャネルを用いて映像を配信する映像配信装置において、１つ以上の映像を受信する受信手段と、前記複数の映像表示装置が配列されることにより構成される複数の画面のそれぞれに前記１つ以上の映像をどのように分割して表示するかを決定する分割決定手段と、前記複数の伝送チャネルのそれぞれで前記分割決定手段により決定された複数の分割領域の映像が配信されるように、各分割領域の映像の配信に用いる伝送チャネルを決定する伝送チャネル決定手段と、前記複数の伝送チャネルのそれぞれで配信される前記複数の分割領域の映像の帯域が前記伝送チャネルの帯域以下になるように、前記各分割領域の映像を符号化する符号化手段と、前記符号化手段により符号化された前記各分割領域の映像のそれぞれを前記伝送チャネル決定手段により決定された伝送チャネルを用いて前記複数の映像表示装置に配信する配信手段とを有することを特徴とする。
【手続補正５】
【補正対象書類名】明細書
【補正対象項目名】００１１
【補正方法】変更
【補正の内容】
【００１１】
本発明の映像配信方法は、複数の映像表示装置に複数の伝送チャネルを用いて映像を配信する映像配信方法において、受信手段が、１つ以上の映像を受信する受信ステップと、分割決定手段が、前記複数の映像表示装置が配列されることにより構成される複数の画面のそれぞれに前記１つ以上の映像をどのように分割して表示するかを決定する分割決定ステップと、伝送チャネル決定手段が、前記複数の伝送チャネルのそれぞれで前記分割決定ステップにより決定された複数の分割領域の映像が配信されるように、各分割領域の映像の配信に用いる伝送チャネルを決定する伝送チャネル決定ステップと、符号化手段が、前記複数の伝送チャネルのそれぞれで配信される前記複数の分割領域の映像の帯域が前記伝送チャネルの帯域以下になるように、前記各分割領域の映像を符号化する符号化ステップと、配信手段が、前記符号化ステップにより符号化された前記各分割領域の映像のそれぞれを前記伝送チャネル決定ステップにより決定された伝送チャネルを用いて前記複数の映像表示装置に配信する配信ステップとを有することを特徴とする。
【手続補正６】
【補正対象書類名】明細書
【補正対象項目名】００１２
【補正方法】変更
【補正の内容】
【００１２】
本発明の映像表示方法は、複数のグループに分けられた複数の映像表示装置に映像配信装置から複数の伝送チャネルを用いて映像を配信し、配列された複数の映像表示装置に前記映像を表示する映像表示方法であって、前記映像配信装置が、１つ以上の映像を受信する受信ステップと、前記複数の映像表示装置が配列されることにより構成される複数の画面のそれぞれに前記１つ以上の映像をどのように分割して表示するかを決定する分割決定ステップと、前記複数のグループのそれぞれを代表する映像表示装置のそれぞれに、前記複数の伝送チャネルのそれぞれで前記分割決定ステップにより決定された複数の分割領域の映像が配信されるように、各分割領域の映像の配信に用いる伝送チャネルを決定する伝送チャネル決定ステップと、前記複数の伝送チャネルのそれぞれで配信される前記複数の分割領域の映像の帯域が前記伝送チャネルの帯域以下になるように、前記各分割領域の映像を符号化する符号化ステップと、前記伝送チャネル決定ステップにより決定された伝送チャネルを用いて前記複数のグループのそれぞれを代表する映像表示装置に、その映像表示装置が代表するグループに属する映像表示装置で表示すべき映像を前記符号化ステップにより符号化して配信する配信ステップとを行い、前記複数のグループのそれぞれを代表する映像表示装置が、前記配信ステップにより配信された映像が伝送されると、前記映像を隣接する映像表示装置に出力する出力ステップと、前記複数の映像表示装置がどのように配列されているかに基づいて、配信された映像から表示すべき映像を分割する分割ステップとを行うことを特徴とする。
【手続補正７】
【補正対象書類名】明細書
【補正対象項目名】００１３
【補正方法】変更
【補正の内容】
【００１３】
本発明のコンピュータプログラムは、複数の映像表示装置に複数の伝送チャネルを用いて映像を配信する手順をコンピュータに実行させるためのコンピュータプログラムにおいて、前記複数の映像表示装置が配列されることにより構成される複数の画面のそれぞれに、受信手段により受信された１つ以上の映像をどのように分割して表示するかを決定する分割決定手順と、前記複数の伝送チャネルのそれぞれで前記分割決定手順により決定された複数の分割領域の映像が配信されるように、各分割領域の映像の配信に用いる伝送チャネルを決定する伝送チャネル決定手順と、前記複数の伝送チャネルのそれぞれで配信される前記複数の分割領域の映像の帯域が前記伝送チャネルの合計帯域以下になるように、前記各分割領域の映像を符号化する符号化手順と、前記符号化ステップにより符号化された前記各分割領域の映像のそれぞれを前記伝送チャネル決定ステップにより決定された伝送チャネルを用いて前記複数の映像表示装置に配信することを配信手段に指示する配信手順とをコンピュータに実行させることを特徴とする。
【手続補正８】
【補正対象書類名】明細書
【補正対象項目名】００１４
【補正方法】変更
【補正の内容】
【００１４】
本発明では、複数の伝送チャネルのそれぞれで複数の分割領域の映像が配信されるように、各分割領域の映像の配信に用いる伝送チャネルを決定することにより、映像配信装置のリソースを、配信する映像表示装置の数だけ持つ必要がなくなり、映像配信装置のリソースが増大するという問題を解決できる。そして、１つの伝送チャネルの帯域によって映像帯域が決まるといった問題を解決できる。従って、配列状に並べられることによって大画面を形成する複数の映像表示装置に映像を配信するに際し、映像配信装置側の能力及び伝送路の伝送帯域に応じて適切な映像を配信することができる。
【手続補正９】
【補正対象書類名】明細書
【補正対象項目名】００３４
【補正方法】変更
【補正の内容】
【００３４】
以上の図７に示す帯域計算処理によって、全ての配列画面（全ての映像表示装置１０１）に配信される映像の帯域は、全伝送チャネルの帯域以下になる。さらに、個々の配列画面（映像表示装置１０１）に対して配分される帯域は、伝送チャネル数で割り切れるように正規化される。従って、各伝送チャネルに対して映像を等分に割り当てても、各伝送チャネルに送られる映像の帯域は、各伝送チャネルの帯域を超えないようになる。
【手続補正１０】
【補正対象書類名】図面
【補正対象項目名】図２
【補正方法】変更
【補正の内容】
【図２】
2007166204.tif 000001